(57)【要約】      （修正有）【課題】シリンジ内のデッドスペースが少なく、幹細胞や抗体などが内容物であっても、この内容物排出の際に、内容物がシリンジ内部に残留しにくいシリンジを提供する。【解決手段】開口した筒先５が先端壁３に設けられ、且つ開口７が後端に設けられた筒状のシリンジ本体と、前記シリンジ本体の内部で気密に前後摺動するガスケット１１と、前記ガスケットに接続されたプランジャ２１と、を有するシリンジであって、前記ガスケットの内容物押出面１５に、前記筒先に嵌合する突起部１３を備える、シリンジ。【選択図】図１
2020150998.tif 000002
【特許請求の範囲】
【請求項１】
開口した筒先が先端壁に設けられ、且つ開口部が後端に設けられた筒状のシリンジ本体と、前記シリンジ本体の内部で気密に前後摺動するガスケットと、前記ガスケットに接続されたプランジャと、を有するシリンジであって、
前記ガスケットの内容物押出面に、前記筒先に嵌合する突起部を備える、
シリンジ。
【請求項２】
前記ガスケットの前記突起部が、前記筒先に嵌合した際に少なくとも前記筒先の最先端まで到達する長さを有する、請求項１に記載のシリンジ。
【請求項３】
前記ガスケットの前記突起部が、先端に向かってテーパー状に縮径している、請求項１または２に記載のシリンジ。
【請求項４】
前記ガスケットが弾性材料を用いて作製されたものであり、
前記内容物押出面と前記先端壁の内面とが当接していない状態において、前記内容物押出面と前記先端壁の内面との前記シリンジ本体の側壁と平行な直線距離のうち、前記内容物押出面の外端と前記先端壁の内面の端部との直線距離が最も短く、
前記ガスケットを前記先端壁の内面方向に摺動させ、前記内容物押出面の前記外端と前記先端壁の内面の前記端部とが当接した後、さらに前記ガスケットの摺動を続けると、前記ガスケットが弾性変形して、前記先端壁の内面に当接する構成である、請求項３に記載のシリンジ。
【請求項５】
前記ガスケットがシリコーンゴムまたはフッ素ゴムを用いて作製されたものであり、且つ前記シリンジ本体の側壁内面に摺動性を高める加工がされている、請求項１〜４のいずれか１項に記載のシリンジ。
【請求項６】
前記筒先が前記先端壁の中心からオフセットされた位置に設けられ、前記突起部が前記筒先に嵌合するように前記内容物押出面の中心からオフセットされた位置に設けられ、さらに、前記シリンジ本体および前記ガスケットに、摺動時に前記ガスケットが回転することを防ぐ回転規制部を備える、請求項１〜５のいずれか１項に記載のシリンジ。
【発明の詳細な説明】
【技術分野】
【０００１】
本発明は、医療用途などに用いられるシリンジに関する。
【背景技術】
【０００２】
従来から、医療用途を中心として様々な形状および構造のシリンジが流通している。その基本的な構造としては、先端に内容物出入口である開口が設けられ、後端にも開口が設けられたシリンジ本体と、このシリンジ本体内部を長手方向に摺動するガスケットと、このガスケットに接続されたプランジャとを備え、プランジャを押圧することにより先端の開口から内容物を押し出す構造となっている。
【０００３】
そして、例えば特許文献１には、先端に設けられた薬液出入口および後端に設けられた開口を有するバレル（シリンジ本体）と、先端側に設けられてバレルの内周面と摺動するガスケット部、後端に設けられたフランジ部、および、該ガスケット部と該フランジ部とを結ぶ軸部を含むプランジャとを備え、このプランジャは、軸部の外周側に付設されて目盛が付された補助目盛部材をさらに含み、目盛においては、バレルの後端と重なる目盛が、バレルの内部に収容されている薬液量またはバレルの内部に収容された薬液の投与量を表示するように付されていることを特徴とする、所望の液量の薬液を吸入または投与可能であり、かつ、片手で把持した状態で薬液を容易に吸入できるシリンジが開示されている。
【先行技術文献】
【特許文献】
【０００４】
【特許文献１】国際公開第２０１５／１５６１８３号
【発明の概要】
【発明が解決しようとする課題】
【０００５】
しかしながら、特許文献１のシリンジ等において、シリンジ本体内の内容物を排出するためにガスケットによって押し出しを行うと、シリンジの先端部とガスケットとの隙間（デッドスペース）などにこの内容物が残存し、内容物を完全に排出することが難しい場合がある。このため、薬剤（薬液）等の内容物について、シリンジ本体内部に内容物が残留する可能性を考慮してシリンジ注入量を検討する必要があった。特に、再生医療の分野において幹細胞などを用いる場合には、高価な幹細胞などがシリンジ本体内部に残ってしまうと、コスト面などにおいて大きなデメリットとなる。
【０００６】
本発明は、上記課題に鑑みてなされたものであり、シリンジ内のデッドスペースが少なく、内容物排出の際に、内容物がシリンジ内部に残留しにくいシリンジを提供することを目的とする。
【課題を解決するための手段】
【０００７】
本発明に係るシリンジは、開口した筒先が先端壁に設けられ、且つ開口が後端に設けられた筒状のシリンジ本体と、このシリンジ本体の内部で気密に前後摺動するガスケットと、このガスケットに接続されたプランジャと、を有するシリンジであって、ガスケットの内容物押出面に、筒先に嵌合する突起部を備えていることを特徴とする。
【発明の効果】
【０００８】
本発明に係るシリンジは、シリンジ内のデッドスペースが少なく、内容物排出の際に、内容物がシリンジ内部に残留しにくい。
【図面の簡単な説明】
【０００９】
【図１】本実施形態に係るシリンジを示す断面図である。
【図２】本実施形態に係るシリンジのガスケットおよびプランジャの斜視図である。
【図３】本実施形態に係るシリンジの先端部の拡大断面図である。
【図４】本実施形態に係る、先端方向に向かってテーパー状に縮径している突起部を備えるガスケットを有するシリンジの先端部の拡大断面図である。
【図５】本実施形態に係る、シリンジ本体の筒先およびガスケットの突起部がその中心からオフセットされた位置に備えられたシリンジの先端部の拡大断面図である。なお、（ａ）はシリンジの長手方向における断面図であり、（ｂ）はシリンジの短手方向における断面図（（ａ）のＡ−Ａにおける断面図）である。
【図６】本実施形態に係る、ガスケットとシリンジ本体の先端壁との直線距離が、ガスケット端部において最も短いガスケットを有するシリンジの先端部の拡大断面図である。
【図７】本実施形態に係る、ガスケットとシリンジ本体の先端壁との直線距離が、ガスケット端部において最も短いガスケットを有するシリンジである別の変形例の先端部の拡大断面図である。
【発明を実施するための形態】
【００１０】
以下、本発明に係るシリンジの実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。なお、いずれの図面についても、便宜上、符号を付していない（省略している）箇所がある。
【００１１】
＜概要＞
まず、本実施形態に係るシリンジの概要について、図１から図７の符号を参照して説明する。なお、図１は、本実施形態に係るシリンジ全体を示す模式的な断面図である。また、図２は本実施形態に係るシリンジのガスケットおよびプランジャの斜視図であり、図３から図７は、本実施形態に係るシリンジの先端部を拡大して示す模式的な拡大断面図である。
ここで、本実施形態に係るシリンジにおける「先端部」とは、シリンジにおける内容物を注入または排出する筒先を備える側を先端側とした場合において、シリンジの長手方向の長さの先端側１／３の領域が「先端部」である。
【００１２】
本実施形態に係るシリンジは、筒状であるシリンジ本体１と、このシリンジ本体１の内部で気密に前後摺動するガスケット１１と、このガスケット１１に接続されたプランジャ２１とを有する。
そして、シリンジ本体１には、開口した筒先５がその先端壁３に設けられ、且つ開口部７が後端に設けられている。また、ガスケット１１は、その内容物押出面１５に、ガスケット１１を摺動させてシリンジ本体１の先端壁３の内面側に内容物押出面１５を当接させたときに筒先５と嵌合する突起部１３を備えている。
上記構成によれば、ガスケット１１によってシリンジ本体１の内容物を筒先５から押し出して排出した時に、シリンジ本体１内部のデッドスペースが少ないため、この内容物がシリンジ本体１の内部に残留しにくくなる。なお、この内容物としては、受精卵、細胞、血清、抗体等の生体試料が好適例として示される。
【００１３】
＜全体構成について＞
本実施形態に係るシリンジの全体構成について、図１から図３を参照して詳細に説明する。
【００１４】
図１は、本実施形態に係るシリンジ全体を示す模式的な断面図であり、筒状のシリンジ本体１と、この内部で気密に前後摺動するガスケット１１と、このガスケット１１に接続されたプランジャ２１とを有する。
【００１５】
このシリンジ本体１は、その内部に薬液等を収容可能な部材であり、内容物出入口である開口した筒先５がその先端壁３（シリンジ本体１の先端側の壁面）に設けられ、且つガスケット１１を装入するための開口部７が後端（先端側とは反対側の端）に設けられている。そして、その形状は筒状であれば特に限定されないが、内部のデッドスペースをより低減し、内容物をシリンジ本体１の内部により残留しにくくするという点から、シリンジ本体１および筒先５は円筒状であることが好ましい。なお、通常、シリンジ本体１の筒先５には、注射針やカテーテルなどの器具を接続して使用する。つまり、この筒先５は、注射針や他の医療機器と接続する接続部材でもある。
【００１６】
そして、ガスケット１１は、筒状のシリンジ本体１の側壁４（先端壁３の外周と接する、筒状であるシリンジ本体１の側面の壁）内面に当接し且つ内容物を押し出すことができる形状であれば良い。例えば、シリンジ本体１の内径と同じ外径を有する円盤状や、さらに後述する突起部１３を備える位置に向かってテーパー状に縮径した形状（テーパー率は例えば５０／１００から３００／１００程度）などが例示される。また、摺動性向上のために、シリンジ本体１の側壁４内面との当接面に気密状態（液密状態）を保つことができる１以上の微細な溝を有していても良い。このガスケット１１が、シリンジ本体１の内部において気密状態（液密状態）を保ちながらシリンジ本体１の長手方向において前後摺動し、この前後摺動によって、シリンジ本体１の筒先５から薬剤等を内部に吸入したり、吸入した薬剤等（内容物）を筒先５から排出したりすることができる。また、図１から図３に示すように、ガスケット１１には、その内容物押出面１５をシリンジ本体１の先端壁３内面側に当接させた時に筒先５に嵌合する突起部１３が、この内容物押出面１５に備えられている。
【００１７】
さらに、このガスケット１１には、人の手などによってガスケット１１を摺動させるためのプランジャ２１が接続されている。このプランジャ２１は、ガスケット１１と接続できるものであれば、その形状や使用材料について特段限定されるものではない。例えば、図２に示すような、樹脂製であって、プランジャ２１の中心軸から放射状に突出した、互いに直交する（横断面が十字形状である）２つの板状部２３と押し出しに用いるフランジ部２５とを有する形状などが好適例として示される。この板状部２３は、２つが直交されている形状に限定されず、３つあるいは４つの板状部２３が交差して（例えば同じ開き角度で交差して）プランジャ２１の中心軸から放射状に突出する構成としても良い。このような構成であると、プランジャ２１の剛性を確保しながら使用材料の削減を図ることができる。そして、シリンジ本体１にも図１に示すようなウィング部９が備えられていると、２本の指によってこのウィング部９を支持しながら、親指によってフランジ部２５を押すことによって、シリンジを片手で操作することが可能となる。
【００１８】
なお、このガスケット１１は弾性材料を用いて作製されているのが好ましく、特に、ガスケット１１がシリコーンゴムまたはフッ素ゴム（これらをいずれも用いる場合を包含する）を用いて作製され、且つ、少なくともシリンジ本体１の側壁４内面に、この内面が未処理の場合よりも摺動性を高める加工がされていることがより好ましい。さらに、ガスケット１１の表面にも、この表面が未処理の場合よりも摺動性を高める加工がされていても良い。ガスケット１１の摺動がよりスムーズとなり、シリンジ本体１に収容されている内容物を押し出して排出する際に、内容物により損傷を与えにくいからである。これら以外の弾性材料としては、例えば、ブチルゴム、イソプレンゴム、ブタジエンゴムや、熱可塑性エラストマーなどが示される。ガスケット１１がこのような弾性材料を用いて作製される場合には、ガスケット１１の外径はシリンジ本体１の内径よりも僅かに大きくしても良い。また、摺動性を高める加工としては、シリコーン加工、フッ素樹脂加工、ポリエチレンテレフタレート（ＰＥＴ）樹脂加工等の樹脂加工や、表面粗さを小さくする表面処理、潤滑油（シリコーンオイル等）の使用などが例示される。
【００１９】
ここで、本発明において「弾性材料」とは、シリンジ本体１よりも柔軟な材料であり且つ保形性を有する軟質な弾性材料を意味する。また、「弾性材料を用いて作製されたもの」とは、弾性材料を主成分として作製されたものであることを意味し、他の成分が副成分として用いられる態様も包含される。なお、主成分とは、当該成分の含有率が７０質量％以上、好ましくは７５質量％以上、より好ましくは８０質量％以上であることを意味する。
【００２０】
また、シリンジ本体１の寸法や、ガスケット１１およびプランジャ２１の寸法は、使用目的やシリンジ本体１の内部へ吸入する薬液等の量などによって可変であるため一概にはいえないが、例えば、シリンジ本体１の筒先５から後端の開口部７までの長さが５ｃｍから２０ｃｍ程度（内容量としては１ｍＬから１０ｍＬ程度）が示される。そして、ガスケット１１の突起部１３の先端からプランジャ２１のフランジ部２５までの長さは、シリンジ本体１の寸法よりも１ｃｍから２ｃｍ程度長いのが好適である。
【００２１】
＜突起部の構成について＞
本実施形態に係るシリンジのガスケット１１に備えられた突起部１３の構成について、図３から図５を参照して詳細に説明する。
【００２２】
本実施形態に係るシリンジのガスケット１１に備えられた突起部１３は、シリンジ本体１の先端壁３に設けられた筒先５と嵌合する。したがって、突起部１３の形状は筒先５の内部に収容可能な形状であり、例えば図１や図３に示すように、筒先５の内部形状と同じ形状であっても良い。また、この突起部１３は、ガスケット１１の内容物押出面１５においてシリンジ本体１の筒先５と嵌合できる位置に備えられている必要がある。
そして、図３に示すように、シリンジ本体１の内容物を押し出して排出する際に、突起部１３が筒先５の最先端まで挿入されて内容物をより残りにくくするために、この突起部１３は、筒先５に嵌合した際に少なくとも筒先５の最先端まで到達する長さを有すること、つまり筒先５の最先端まで到達する長さあるいはこの筒先５の最先端を超える長さを有することが好ましい。
【００２３】
さらに、この突起部１３は、シリンジ本体１の内容物を押し出して排出する際に、内容物の排出流路が確保されやすく、排出の際に内容物に損傷をより与えにくくするために、図４に示すような、突起部１３が筒先５に向かってテーパー状に縮径している形状であっても良い。そして、このような突起部１３のテーパー率は、１０／１００から３０／１００程度が好適例として示される。この場合において、筒先５もテーパー状となっていても良いが、内容物の排出流路をより確保し易くするためには、筒先５はテーパー状ではない（内径が一定である）筒状であるのが好ましく、そして、内容物が筒先５の中により残りにくくするために、図４に示すように、テーパー状である突起部１３は筒先５の最先端を超える長さを有するのが好ましい。
【００２４】
ここで、本実施形態に係るシリンジにおける内容物の排出流路とは、プランジャ２１を押圧した際に、ガスケット１１の摺動が止まる前における、ガスケット１１の内容物押出面１５および突起部１３と、シリンジ本体１の内部および筒先５との間に生じる隙間を意味し、ガスケット１１をシリンジ本体の先端壁３方向に摺動させていくと、徐々にこの隙間が狭くなっていくが、突起部１３をテーパー状とすることで、ガスケット１１の摺動が止まる直前まで内容物の排出流路が確保されるため好ましい。
【００２５】
なお、図３や図４に示すような、筒先５がシリンジ本体１の先端壁３の中心部分に設けられている中口シリンジの場合には、この突起部１３はガスケット１１の内容物押出面１５の中心部分に設ければ良いが、図５に示すような、筒先５がシリンジ本体１の先端壁３の中心部分からオフセットされた位置に設けられている横口シリンジの場合には、この突起部１３を筒先５と嵌合できる位置、つまり内容物押出面１５の中心からオフセットされた位置に設ける必要がある。さらに、この横口シリンジの場合には、ガスケット１１が摺動時に回転して、突起部１３と筒先５の位置がずれることを防ぐために、シリンジ本体１およびガスケット１１に回転規制部３１を設けるのが好ましい。この回転規制部３１としては、図５（ａ）（シリンジの長手方向における断面図）および図５（ｂ）（（ａ）のＡ−Ａにおける断面図）に示すような、シリンジ本体１の側壁４の内面側に突出し且つシリンジの長手方向に延在するように設けられたガイドレールと、このガイドレールと嵌合する、ガスケット１１側面においてシリンジの長手方向に設けられた溝などが例示される。このような回転規制部３１は、ガスケット１１のシリンジ本体１内周方向への回転を禁止することが可能な部材である。
上記構成により、横口シリンジであっても、ガスケット１１の突起部１３がシリンジ本体１の筒先５に確実に嵌合し、シリンジ内のデッドスペースが少なく、排出の際に内容物がシリンジ内部に残りにくいシリンジとすることができる。
【００２６】
＜ガスケットの構成について＞
本実施形態に係るシリンジのガスケット１１の構成について、図６および図７を参照して詳細に説明する。
【００２７】
ガスケット１１は、前述したように、シリンジ本体１の内部で気密に前後摺動するような形状であり、弾性材料を用いて作製されているのが好ましい。そして、このガスケット１１をシリンジ本体１の先端壁３方向に摺動させ、ガスケット１１の内容物押出面１５とシリンジ本体１の先端壁３の内面側が当接して内容物を完全に排出する。
【００２８】
ここで、このガスケット１１が弾性材料を用いて作製され且つ突起部１３が上記したテーパー状である場合、図６および図７に示すように、内容物押出面１５と先端壁３の内面側とが当接していない状態において、内容物押出面１５と先端壁３の内面側とにおけるシリンジ本体１の側壁４と平行な直線距離（図６および図７において両矢印により示した距離）のうち、内容物押出面１５の外端（ガスケット外端１７）と先端壁３の内面側の端部との直線距離が最も短く、ガスケット１１を先端壁３の内面方向に摺動させ、内容物押出面１５の外端と先端壁３の内面の端部とが当接した後、さらにガスケット１１の摺動を続けると、ガスケット１１が弾性変形して、例えば内容物押出面１５の外端から内側に向かって、先端壁３の内面に当接する構成であるのがより好ましい。なお、図６および図７においては、理解を容易にするために、ガスケット１１の全体の大きさに対するガスケット端部１７の大きさを実際より大きく示している。
上記構成によれば、ガスケット１１の内容物押出面１５の外端（ガスケット外端１７）、つまりシリンジ本体１の側面側から、内容物をガスケット１１がかき出すように排出するため、テーパー状の突起部１３と筒先５との間などに生じる排出流路から内容物を効率的に排出する構成となり、内容物排出の際に損傷をより与えにくく、且つシリンジ本体１の内部に内容物がより残りにくい。
【００２９】
このガスケット外端１７は、上記構成を満たすために、例えば、図６に示すような、シリンジ本体１の先端壁３方向に向かってガスケット外端１７がエッジ立ちなどによって僅かに盛り上がっている形状や、図７に示すような、ガスケット１１の内容物押出面１５が、シリンジ本体１の先端壁３方向とは反対の方向にわずかに湾曲し、ガスケット端部１７がわずかに盛り上がっている形状などが示される。特に、シリンジ本体１の先端壁３が筒先５に向かってテーパー状に縮径している形状である場合には、ガスケット１１は図６に示すような形状であるのが好ましく、シリンジ本体１の先端壁３が側壁４と垂直な平面である場合には、ガスケット１１は図７に示すような形状であるのが好ましい。
【００３０】
なお、図６および図７に示す実施形態では、ガスケット端部１７以外の内容物押出面１５は、先端壁３の内面側とのシリンジ本体１の側壁４と平行な直線距離が、このガスケット外端１７とシリンジ本体１の先端壁３内面側の端部との上記した平行な直線距離よりも僅かに長くなっており、このエッジ状のガスケット外端１７によってシリンジ本体１の側壁４側（外側）からガスケット１１が当接し、内容物をかき出すような構成となっている。
【００３１】
ここで、ガスケット外端１７と先端壁３の内面側の端部との上記した平行な直線距離に対する、ガスケット端部１７以外の内容物押出面１５と先端壁３の内面側との上記した平行な直線距離の長さの比率は、限定されるものではないが、１倍超から２倍程度であるのが好ましく、１倍超から１．５倍程度であるのがより好ましい。また、ガスケット外端１７から突起部１３に向かって上記した平行な直線距離が徐々に長くなるような構成であるのがより好ましい。シリンジ本体１の内容物がよりスムーズにかき出し易くなるからである。
【００３２】
＜変形例について＞
本実施形態に係るシリンジのさらなる変形例について説明する。
【００３３】
本実施形態に係るシリンジは、限定されるものではないが、内容物の排出をよりスムーズとするために、中口シリンジおよび横口シリンジにおいて、シリンジ本体１の先端壁３が上記したような筒先５に向かってテーパー状となっていることが好ましい。そして、筒先５は、注射針やチューブなどを接続するための接続部（嵌合によりロックするロック機構や、掛止部など）を備えていても良い。
【００３４】
また、本実施形態に係るシリンジは、上記したように筒先５がシリンジ本体１の先端壁３の中心部分からオフセットされた位置に設けられている横口シリンジであっても良いが、この横口シリンジである場合においても、前述したような、ガスケット１１が、その内容物押出面１５と先端壁３の内面側とにおけるシリンジ本体１の側壁４と平行な直線距離のうち、ガスケット外端１７と先端壁３の内面側の端部との直線距離が最も短い構成とすることもできる。
【００３５】
さらに、シリンジ本体１の材質は、ガラス製、樹脂（ポリプロピレン、ポリエチレン、ポリ塩化ビニル、ポリスチレン、ポリカーボネート、アクリル樹脂など）製のいずれでも良く、また、筒先５については金属製であっても良く、使用するガスケット１１の摺動性や内容物などを勘案して適宜設計すれば良い。そして、このシリンジ本体１は、限定されるものではないが、内容物の状態を確認できる程度に透明であっても良く、さらに、その側壁４の外周面に目盛りが付されていても良い。また、その容量も使用目的に応じて任意に選択が可能である。
【００３６】
なお、このシリンジ本体１の筒先５に、この筒先５の開口をカバーする着脱可能なキャップが備わっていても良い。このキャップは、シリンジ使用時には脱離させ、シリンジ使用前または使用中断時に装着させるものである。そして、ガスケット１１に備わる突起部１３が、筒先５と嵌合させたときにその最先端を超える長さを有する場合には、このキャップは、このような突起部１３の筒先５を超えた長さ分を覆うことが可能な長さ（深さ）とする。
【００３７】
＜用途について＞
本実施形態に係るシリンジは、その用途は特段限定されず、様々な用途に使用できる。例えば、内容物として薬剤だけでなく、幹細胞や抗体などにも使用可能である。また、生化学試験など、医療用途以外にも使用することができる。
【００３８】
以上のような実施形態を含む本発明に係るシリンジは、シリンジ内のデッドスペースが少なく、特に、ガスケットの突起部がテーパー状であって、内容物を外側（ガスケットの端部側）からかき出すような構成であると、幹細胞や抗体などが内容物であっても、排出の際にこの内容物を損傷しにくく、且つこの内容物がシリンジ内部に極めて残りにくい。
【００３９】
上記実施形態は、以下の技術思想を包含するものである。
（１）開口した筒先が先端壁に設けられ、且つ開口部が後端に設けられた筒状のシリンジ本体と、前記シリンジ本体の内部で気密に前後摺動するガスケットと、前記ガスケットに接続されたプランジャと、を有するシリンジであって、前記ガスケットの内容物押出面に、前記筒先に嵌合する突起部を備える、シリンジ。
（２）前記ガスケットの前記突起部が、前記筒先に嵌合した際に少なくとも前記筒先の最先端まで到達する長さを有する、（１）に記載のシリンジ。
（３）前記ガスケットの前記突起部が、先端に向かってテーパー状に縮径している、（１）または（２）に記載のシリンジ。
（４）前記ガスケットが弾性材料を用いて作製されたものであり、前記内容物押出面と前記先端壁の内面とが当接していない状態において、前記内容物押出面と前記先端壁の内面との前記シリンジ本体の側壁と平行な直線距離のうち、前記内容物押出面の外端と前記先端壁の内面の端部との直線距離が最も短く、前記ガスケットを前記先端壁の内面方向に摺動させ、前記内容物押出面の前記外端と前記先端壁の内面の前記端部とが当接した後、さらに前記ガスケットの摺動を続けると、前記ガスケットが弾性変形して、前記先端壁の内面に当接する構成である、（３）に記載のシリンジ。
（５）前記ガスケットがシリコーンゴムまたはフッ素ゴムを用いて作製されたものであり、且つ前記シリンジ本体の側壁内面に摺動性を高める加工がされている、（１）〜（４）のいずれか１つに記載のシリンジ。
（６）前記筒先が前記先端壁の中心からオフセットされた位置に設けられ、前記突起部が前記筒先に嵌合するように前記内容物押出面の中心からオフセットされた位置に設けられ、さらに、前記シリンジ本体および前記ガスケットに、摺動時に前記ガスケットが回転することを防ぐ回転規制部を備える、（１）〜（５）のいずれか１つに記載のシリンジ。
【符号の説明】
【００４０】
１      シリンジ本体
３      先端壁
４      側壁
５      筒先
７      開口部
９      ウィング部
１１    ガスケット
１３    突起部
１５    内容物押出面
１７    ガスケット外端
２１    プランジャ
２３    板状部
２５    フランジ部
３１    回転規制部
【図１】
2020150998.tif 000003
【図２】
2020150998.tif 000004
【図３】
2020150998.tif 000005
【図４】
2020150998.tif 000006
【図５】
2020150998.tif 000007
【図６】
2020150998.tif 000008
【図７】
2020150998.tif 000009